(57)【特許請求の範囲】
【請求項１】
拡開時に外周が方形の蚊帳の、一方の対辺に張り出し部が形成されるよう親骨の中間に中骨が設けられ、上ろくろに挿通した引紐の一端が下ろくろに固着され、引紐を引き上げて下ろくろを上ろくろへ係止することにより、親骨及び中骨と受骨が拡開すると共に、親骨及び中骨が、それぞれ上部と下部に折り畳み可能に連結されているほろ蚊帳において、上部の中骨又は下部の中骨のいずれかが親骨よりも細く形成されていることを特徴とするほろ蚊帳。
【発明の詳細な説明】
【技術分野】
【０００１】
本発明は、夏場に就寝中に蚊や虫に刺されることを防止するための大人用又は子供用のほろ蚊帳に関するものである。
【背景技術】
【０００２】
従来、上ろくろに挿通した引紐の一端が下ろくろに固着され、引紐を引き上げて下ろくろを上ろくろへ係止することにより、親骨及び受骨が拡開するほろ蚊帳は拡開時に外周が方形に形成されるものが殆んどである。
特に幼児用のほろ蚊帳では小型で長方形のものが多く、成長の早い幼児では２〜３年で頭や足がほろ蚊帳の開口縁に支えて使用ができなくなってしまう。
そこで、図３に示すように、長年使用できるよう拡開時に外周が長方形のほろ蚊帳の短辺側の対辺に張り出し部Ａが形成されるよう親骨２の中間に中骨３が設けられた六角形ほろ蚊帳が使用されている。
【０００３】
このほろ蚊帳は、三角形となる張り出し部Ａに幼児の頭と足が位置するよう寝かせることで十分にその使用目的を達するもので、中骨３の先端部までの長さを長辺側とする長方形に比べて使用場所のスペースも少ないと共に、カバーを張設する箇所も少なくて済み無駄がないので好まれている。
【０００４】
一方、ほろ蚊帳の張骨は、従来は同一太さの細い棒材で構成されており、これが前記構成のほろ蚊帳も親骨２と中骨３を同一太さの細い棒材で構成されているため、ほろ蚊帳を拡開した時に、中骨３とその両側の親骨２の間の狭いスペースに親骨２からのカバー１１の張力が働くと中骨３がこれに抗するので、親骨２が図３の矢印イの如く中骨３側に引っ張られるため、中骨３は十分な撓みが得られず、そのため、ほろ蚊帳を拡開して使用すると、図４に示すように、中骨３の下端部が接地せずに中骨３が浮いた状態となり、この浮いた箇所から蚊などが侵入し、ほろ蚊帳としての機能を十分に発揮できないので、図５及び図６に示すように、カバー１１の裾部にレースなどで縁飾り１６を設け、この縁飾り１６を垂らすことで浮いた箇所を塞ぎ、蚊などの侵入を防止していたのである。
【特許文献１】なし
【発明の開示】
【発明が解決しようとする課題】
【０００５】
上記点より本発明は、拡開時に外周が方形の蚊帳の一方の対辺に張り出し部が形成されるよう、親骨の中間に中骨が設けられたほろ蚊帳の中骨が撓み易く使用時に中骨が浮くことを防止し、この浮いた箇所から蚊などが侵入することを防止したほろ蚊帳を提供しようとするものである。
【課題を解決するための手段】
【０００６】
上記課題を解決するため本発明ほろ蚊帳は、拡開時に外周が方形の蚊帳の、一方の対辺に張り出し部が形成されるよう親骨の中間に中骨が設けられ、上ろくろに挿通した引紐の一端が下ろくろに固着され、引紐を引き上げて下ろくろを上ろくろへ係止することにより、親骨及び中骨と受骨が拡開すると共に、親骨及び中骨が、それぞれ上部と下部に折り畳み可能に連結されているほろ蚊帳において、上部の中骨又は下部の中骨のいずれかが親骨よりも細く形成されていることを特徴とするものである。
【発明の効果】
【０００７】
このような構成とすることにより、親骨及び中骨がそれぞれ上部と下部に折り畳み可能に連結されたほろ蚊帳であって、上部の中骨又は下部の中骨のみを親骨よりも細くすれば、細く形成した部分の中骨の抵抗力が小さくなり撓み易くなるので、中骨の下端は床、畳などの接地面に接地し浮き上がりが防止される。
したがって、折り畳み可能に連結されている中骨に着目し、中骨の強度への影響を最小限に止め一部分を細くするのみで、従来のように、浮き上がった箇所から蚊などが侵入することが防止され、ほろ蚊帳としての機能を十分に発揮できる効果を有する。
【発明を実施するための最良の形態】
【０００８】
以下、本発明の好ましい実施例について、添付図面を参照して説明する。
図１は本発明ほろ蚊帳の一実施の形態を示す一部省略した平面図、図２は図１の一部省略した部分正面図である。
【０００９】
図中１はほろ蚊帳の上ろくろであり、この上ろくろ１の鍔部１ａに設けた放射状の溝に、基端部を針金などを介して４本の親骨２と、親骨２と同一長さの２本の中骨３が放射状かつ揺動自在に枢支されている。
親骨２又は中骨３は、従来通り親骨２は上ろくろ１に拡開時にほろ蚊帳の外周が方形となるように配設され、中骨３は親骨２と２本おきに親骨２間の中央部に配設され、この中骨３で方形のほろ蚊帳の一方の対辺に張り出し部Ａが形成された六角形状のほろ蚊帳となる。親骨２と中骨３は可撓性を有する金属又は合成樹脂で断面が円形の細い棒材で構成されている。
【００１０】
４は下ろくろであり、この下ろくろ４の鍔部４ａに設けた放射状の溝に一端を針金などを介して親骨２及び中骨３に対応する受骨５が揺動自在に枢支し、受骨５の他端は親骨２及び中骨３の上方部にかしめられて固定された継手６に回動可能にダボ７に枢着されている。
下ろくろ４の上ろくろ１を挿通可能な軸部４ｂの上端部に引紐８の一端が止着され、引紐８の他端は上ろくろ１を挿通し、つまみ９に固着されている。
また、軸部４ｂに軸部４ｂの側方に出入り自在に内装され、上ろくろ１の頭部１ｂの上面に係脱自在なハジキ１０が設けられている。
【００１１】
１１は親骨２及び中骨３に張設された網目状のカバーである。１２は親骨２及び中骨３の下端部に嵌着された露先であり、カバー１１を掛止している。
【００１２】
親骨２は上部の親骨２ａと下部の親骨２ｂに分離され、下部の親骨２ｂの上端部は上部の親骨２ａの下端部に外方側へ回動可能に継手１４で枢支連結されている。そして、上部の親骨２ａと下部の親骨２ｂは同一太さとなっている。
また、中骨３も上部の中骨３ａと下部の中骨３ｂに分離され、下部の中骨３ｂの上端部は上部の中骨３ｂの下端部に外方側へ回動可能に継手１５で枢支連結されている。そして上部の中骨３ａは下部の中骨３ｂよりも細く形成されている。下部の中骨３ｂは親骨２と同一の太さに形成されている。
【００１３】
このような構成を有するほろ蚊帳の引紐８を引き上げて、下ろくろ４の軸部４ｂを上ろくろ１に挿通し、ほろ蚊帳を拡開すれば、上部の中骨３が親骨２よりも細く形成されているのでカバー１１の張力で容易に撓むため、図２に示すように、中骨３の下端部の露先１２は床、畳などの接地面１３に接地し浮き上がりが防止される。
【００１４】
図面では上部の中骨３ａの方が下部の中骨３ｂよりも細くなっているが、逆に上部の中骨３ａを親骨２と同じ太さに形成し、下部の中骨３ｂを上部の中骨３ａよりも細く形成してもよい。
細く形成されている中骨３ｂの太さは親骨２の太さにより異なるが、親骨２が直径約３．４ｍｍ程度の場合に中骨３は約２．８ｍｍ程度の太さに、また親骨２が直径約２．８ｍｍ程度の場合に中骨３は約２．５ｍｍ程度の太さにすると撓み易く接地可能となる。勿論、この太さ以下であればよく、何らこの数値に限定されるものではない。
【００１５】
以上、本発明を実施の形態に基づき具体的に説明したが、本発明は上記実施例に何ら限定されるものではなく、本発明の趣旨を逸脱しない範囲内で種々の改良変形が可能であることは容易に推察できるものである。
【図面の簡単な説明】
【００１６】
【図１】本発明ほろ蚊帳の一実施の形態を示す一部省略した平面図である。
【図２】図１の部分正面図である。
【図３】従来のほろ蚊帳の一部省略した平面図である。
【図４】図３の部分正面図である。
【図５】従来のほろ蚊帳の一部省略した平面図である。
【図６】図５の部分正面図である。
【符号の説明】
【００１７】
１        上ろくろ
２        親骨
３        中骨
４        下ろくろ
５        受骨
６、１４  継手親骨用
７        ダボ
８        引紐
９        つまみ
１０      ハジキ
１１      カバー
１２      露先
１３      床
１５      継手中骨用
１６      縁飾り
Ａ        張り出し部
【図１】
0004651296.tif 000002
【図２】
0004651296.tif 000003
【図３】
0004651296.tif 000004
【図４】
0004651296.tif 000005
【図５】
0004651296.tif 000006
【図６】
0004651296.tif 000007